(57)【要約】【課題】発光素子が配設された基板の温度上昇を効果的に抑制できる照明装置を提供することを目的とする。【解決手段】本発明は、発光素子２０が配設された基板２１と、この基板２１が設けられるとともに、基板２１と熱的に結合される熱伝導性の背面部８を有し、前記発光素子から出射される光の照射角度の変更が可能な本体ケース４と、この本体ケース４の背面部８に形成され、前記照射角度の変更の方向に沿って複数の対流通路１０ｄを形成する放熱フィン１０ａを備えた放熱フィン部１０とを備える照明装置１である。【選択図】図３
2010010124.tif 000002
【特許請求の範囲】
【請求項１】
発光素子が配設された基板と；
この基板が設けられるとともに、基板と熱的に結合される熱伝導性の背面部を有し、前記発光素子から出射される光の照射角度の変更が可能な本体ケースと；
この本体ケースの背面部に形成され、前記照射角度の変更の方向に沿って複数の対流通路を形成する放熱フィンを備えた放熱フィン部と；
を具備することを特徴とする照明装置。
【請求項２】
前記発光素子は、基板の中央部に配設されており、前記放熱フィン部における放熱フィンの高さ寸法を外周から中央部に向かうに従い漸次高くなるように構成されていることを特徴とする請求項１に記載の照明装置。
【請求項３】
熱伝導性を有し、前記本体ケースを吊下げるための吊下げ手段と；
この吊下げ手段と本体ケースとを光の照射角度の変更が可能なように接続するとともに、熱伝導性を有する部材からなる照射角度可変機構と；
を備え、前記照射角度可変機構は、光の照射角度の変更に対して、吊下げ手段側と本体ケース側との接触面積の変化が少なくなるように構成されていることを特徴とする請求項１又は請求項２に記載の照明装置。
【発明の詳細な説明】
【技術分野】
【０００１】
本発明は、ＬＥＤ等の発光素子を用いた光の照射角度の変更が可能な照明装置に関する。
【背景技術】
【０００２】
ＬＥＤ等の発光素子は、その温度が上昇するに従い、光出力の低下、特性の変動とともに寿命にも影響を与える。このため、ＬＥＤやＥＬ素子等の固体発光素子を光源とする照明器具では、寿命、効率の諸特性を改善するために発光素子の温度上昇を抑制する必要がある。従来、ＬＥＤを光源とした灯具を支持体に対して回転自在とし、照射方向を可変としたものにあって、本体の背面に放熱用の凹凸形状を形成した照明器具が知られている（特許文献１参照）。
【先行技術文献】
【特許文献】
【０００３】
【特許文献１】特開２００５−７１８２１号公報
【発明の概要】
【発明が解決しようとする課題】
【０００４】
しかしながら、特許文献１には、本体の背面に放熱用の凹凸形状が示されてはいるものの、ＬＥＤを光源とした場合の放熱構造の詳細について示されておらず、また、放熱用の凹凸形状は、照射方向の可変、すなわち、仰角の方向と何ら関連付けられたものではない。したがって、特許文献１に示された構成では、ＬＥＤの温度上昇を効果的に抑制することが困難である。
【０００５】
本発明は、上記問題点を解消すべくなされたもので、発光素子が配設された基板の温度上昇を効果的に抑制できる照明装置を提供することを目的とする。
【課題を解決するための手段】
【０００６】
請求項１に記載の照明装置は、発光素子が配設された基板と；この基板が設けられるとともに、基板と熱的に結合される熱伝導性の背面部を有し、前記発光素子から出射される光の照射角度の変更が可能な本体ケースと；この本体ケースの背面部に形成され、前記照射角度の変更の方向に沿って複数の対流通路を形成する放熱フィンを備えた放熱フィン部と；を具備することを特徴とする。
【０００７】
発光素子とは、ＬＥＤや有機ＥＬ等の固体発光素子である。発光素子の配設は、表面実装方式やチップ・オン・ボード方式等、配設方式には限定されない。砲弾型のＬＥＤを用いて基板に配設してもよい。また、発光素子の配設個数には限定されない。基板と熱的に結合されるとは、直接的に基板と接触する場合や間接的に熱伝導性される場合をも許容する。また、対流通路は、直線状や蛇行状に形成することができる。
【０００８】
本発明によれば、照射角度の変更の方向に沿って複数の対流通路を形成するので、少なくとも照射方向が直下又は直上以外の場合は、本体ケースの下側方向から上側方向に若干でも対流通路が形成されるものである。したがって、照射角度が可変しても対流による放熱効果を常に得られ易いことにより、照射角度毎の基板の温度状態の差が大きくなることを抑制するので、発光素子の発光効率等の変化幅を小さくすることができる。
【０００９】
請求項２に記載の照明装置は、請求項１に記載の照明装置において、前記発光素子は、基板の中央部に配設されており、前記放熱フィン部における放熱フィンの高さ寸法を外周から中央部に向かうに従い漸次高くなるように構成されていることを特徴とする。漸次高くなるとは、曲線状になだらかに高くなる場合や断続的に、つまり、階段状に高くなる場合等を含む意味である。
【００１０】
請求項３に記載の照明装置は、請求項１又は請求項２に記載の照明装置において、熱伝導性を有し、前記本体ケースを吊下げるための吊下げ手段と；この吊下げ手段と本体ケースとを光の照射角度の変更が可能なように接続するとともに、熱伝導性を有する部材からなる照射角度可変機構と；を備え、前記照射角度可変機構は、光の照射角度の変更に対して、吊下げ手段側と本体ケース側との接触面積の変化が少なくなるように構成されていることを特徴とする。照射角度可変機構は、光の照射方向を可変できるように本体ケースの照射角度を変えることが可能な手段を意味し、格別構成的に限定されるものではない。
【００１１】
また、熱伝導性とは、必ずしも熱伝導率が高い部材からなることを意味するものではなく、少なくとも放熱作用に寄与するように構成されていればよいことを意味する。例えば、金属材料や樹脂材料が適用できる。
【発明の効果】
【００１２】
請求項１に記載の発明によれば、発光素子が配設された基板の温度上昇を効果的に抑制できる照明装置を提供することができる。また、照射角度の変更に伴う対流、放熱作用の変化の度合いを少なくすることができ、発光素子の温度特性への影響を軽減できる。
【００１３】
請求項２に記載の発明によれば、請求項１に記載の発明の効果に加え、熱が集中し易い基板の中央部分の放熱面積を大きくすることができるので、放熱を効果的に行うことが可能となるとともに、照射角度の変更に伴う対流、放熱作用の変化の度合いをさらに少なくすることができ、発光素子の温度特性への影響を軽減できる照明装置を提供することができる。
【００１４】
請求項３に記載の発明によれば、上記各請求項に記載の発明の効果に加え、照射角度が変更されても常に照射角度可変機構を介して吊下げ手段から放熱することができるので、照射角度の変更に伴う放熱作用の変化の度合いを少なくすることができる。
【図面の簡単な説明】
【００１５】
【図１】本発明の第１の実施形態に係る照明装置の側面側を示す斜視図である。
【図２】同正面側を示す斜視図である。
【図３】同側面図である。
【図４】同背面図である。
【図５】同断面図である。
【図６】同放熱作用を示す説明図である。
【図７】本発明の第２の実施形態に係る照明装置を示す斜視図である。
【図８】本発明の第３の実施形態に係る照明装置を示す概略構成図である。
【図９】本発明の第４の実施形態に係る照明装置を示す概略構成図である。
【図１０】本発明の第５の実施形態に係る照明装置を示す側面図である。
【図１１】同側面図である。
【図１２】同上面図である。
【図１３】本発明の第６の実施形態に係る照明装置を示す側面図である。
【図１４】同側面図である。
【図１５】同上面図である。
【図１６】同放熱フィンの形状を模式的に表した側面図である。
【図１７】同照明装置の他の実施例を示す側面図である。
【図１８】本発明の第７の実施形態に係る照明装置を示す斜視図である。
【図１９】照明装置の照射角度の変更に伴う温度変化を示す説明図である。
【図２０】同説明図である。
【図２１】同じく説明図である。
【図２２】本発明に係る照射角度可変機構の放熱構造（実施例１）を示す側面図である。
【図２３】同（実施例２）を示す正面側構成図である。
【図２４】同（実施例２）を示す側面図である。
【図２５】同（実施例３）を示す側面図である。
【発明を実施するための形態】
【００１６】
以下、本発明の第１の実施形態に係る照明装置について図１乃至図６を参照して説明する。図１は、照明装置の側面側を示す斜視図、図２は、同正面側を示す斜視図、図３は、同側面図、図４は、同背面図、図５は、同断面図、図６は、放熱作用を示す説明図である。
【００１７】
図１及び図２において、照明装置は、例えば、天井面等に吊下げられて使用されるスポットライト１であり、本体２と吊下げ桿３とを備えている。本体２は、外観上、略円盤状をなし、本体ケース４と、この本体ケース４の照射開口部５を覆う拡散カバー６とから構成されている。さらに、本体ケース４は、リング状の前面化粧枠７と、外面が球面状をなす背面部８とから構成されている。リング状の前面化粧枠７は、ＡＢＳ樹脂等の合成樹脂材料により形成され、その円形状開口は、照射開口部５を構成している。そして、この照射開口部５には、アクリル樹脂からなる乳白色の透光性の拡散カバー６が取付けられている。背面部８は、詳細を後述するが、アルミダイカスト製の熱伝導良好な材料で形成されている。熱伝導性を担保できれば、勿論、熱伝導性樹脂等の他の材料で形成してもよい。
【００１８】
前記背面部８には、パイプ状の吊下げ桿３の一端部が接続されている。また、吊下げ桿３の他端部には天井面等への取付けをなす取付部３ａが接続されている。これら接続構造により、本体２、すなわち、本体ケース４は、仰角方向に回動可能であり（図示矢印Ａ）、また、吊下げ桿３は、その軸を中心として回転可能である（図示矢印Ｂ）。さらに、吊下げ桿３は、軸方向に移動可能であり（図示矢印Ｃ）、つまり、図示上、上下方向に伸縮可能になっている。これらは、フリクションにより任意の方向、位置に設定できるようになっており、したがって、照射方向を任意に変えることができる。
【００１９】
図３乃至図５において、背面部８は、円形状をなし、放熱フィン部１０が形成されている。放熱フィン部１０には、複数の直線状の放熱フィン１０ａ・・・が形成されており、この放熱フィン１０ａ・・・は、側面１０ｂの形状をかまぼこ状となし、全体として、その複数の放熱フィン１０ａ・・・の上面１０ｃによって形成される外観が球面状をなしている。したがって、各放熱フィン１０ａ・・・間には複数の直線状の溝１０ｄ・・・が形成され、また、複数の放熱フィン１０ａ・・・の高さ寸法ｈ（図５参照）は、背面部８の外周から中央部に向かうに従い漸次高くなるように形成されている。このような構成により、放熱フィン部１０の中央部の放熱フィン１０ａ・・・の表面積が大きくなり、また、各隣接する放熱フィン１０ａ・・・の高さ寸法ｈの差により、その差分が外面へ表出することとなる（主として図３及び図５参照）。さらに、複数の溝１０ｄ・・・の方向は、前記仰角の回動方向、すなわち、仰角の変更の方向に略沿った方向となっている。なお、放熱フィン部１０の中心には、吊下げ桿３と接続される接続部１１が形成されている。
【００２０】
背面部８は、側周壁９を有しており、この側周壁９には前面化粧枠７が取付けられて本体ケース４が構成されている。なお、側周壁９は背面部８と別体に構成されていてもよい。本体ケース４内には、発光素子として複数のＬＥＤ２０・・・が配設された基板２１が取付けられている。基板２１には、ＬＥＤ２０・・・がチップ・オン・ボード方式で実装されている。すなわち、ＬＥＤ２０・・・を基板２１の表面上に、所定の間隔をおいてマトリクス状に配設し、その表面にコーティング材を塗布した構造をなしている。したがって、このＬＥＤ２０・・・の実装面が基板２１の発光面となる。基板２１の裏面は、背面部８の内壁と面接触して熱的に結合されている。この面接触は、基板２１の裏面全面ではなく、部分的に接触するようにしてもよく、また、基板２１と背面部８との間に接着剤を介在させるようにしてもよい。この場合、接着剤には、シリコーン樹脂系の接着剤に金属酸化物等を混合した熱伝導性が良好な材料を用いることができる。
【００２１】
基板２１は、金属又は絶縁材の略円形の平板からなる。基板２１を金属製とする場合は、アルミニウム等の熱伝導性が良好で放熱性に優れた材料を適用するのが好ましい。また、絶縁材とする場合には、放熱特性が比較的良好で、耐久性に優れたセラミック材料又は合成樹脂材料を適用できる。合成樹脂材料を用いる場合には、例えば、ガラスエポキシ樹脂等で形成できる。
【００２２】
また、基板２１のＬＥＤチップ２０・・・が実装されている表面側であって、基板２１の周縁側には図示しない点灯回路が配設されている。点灯回路は、コンデンサ、抵抗素子やスイッチング素子等の部品から構成され、ＬＥＤ２０・・・を点灯制御するものである。なお、点灯回路は、基板２１内に封止配設することや本体ケース４の外部に設けることも許容する。
【００２３】
次に、このように構成されたスポットライト１の作用について説明する。まず、本体ケース４の仰角等を調整し、所望の照射方向に発光面を向ける。点灯回路に電源を供給し、ＬＥＤ２０・・・に通電すると、ＬＥＤ２０から出射した光は拡散カバー６を通過して前方に照射される。一方、これに伴いＬＥＤ２０から発生する熱は、主として、基板２１裏面の略全面から背面部８へ伝わり、さらに、複数の放熱フィン１０ａ・・・へ伝導され放熱される。ここで、複数の放熱フィン１０ａ・・・間の溝１０ｄ・・・は、仰角の方向に沿っているので、自然対流による対流が放熱フィン１０ａ・・・の側面１０ｂに作用して、放熱が効率よく行われる。なお、この作用は、例え、仰角が変わっても、溝１０ｄ・・・が仰角の変更の方向に沿った方向となっているので確実に行われることとなる。また、基板２１の中央部分に熱が集中し易いが、この基板２１の中央部分と対向する放熱フィン部１０の中央部の放熱フィン１０ａ・・・の表面積が大となっているので、中央部分の放熱を効果的に行うことができる。さらに、各隣接する放熱フィン１０ａ・・・の高さ寸法ｈの差により、その差分が外面へ表出しているので、放熱効果を促進することができる。
【００２４】
加えて、放熱フィン１０ａ・・・の上面１０ｃの対流、放熱関係について図６を参照して考察してみると、放熱フィン１０ａ・・・の側面１０ｂの形状がかまぼこ状をなす曲線となっており、つまり、放熱フィン部１０における放熱フィン１０ａ・・・の高さ寸法が仰角の変更の方向に沿い、外周から中央部に向かうに従い漸次高くなるように構成されている。これにより仰角が変化しても対流、放熱の変化度合いが少なく、ＬＥＤ２０・・・の温度特性への影響を軽減できることが判明した。
【００２５】
つまり、図６の放熱フィン１０ａの側面１０ｂ形状に基づいて説明すると、図６（ｂ）に示すように、側面１０ｂ形状が直線状であり、仰角を垂直状態（左図）から約４５度傾けた状態（右図）と、図６（ａ）に示す本実施形態のように側面１０ｂの形状が曲線となっている形態とをシミュレーションで比較した結果、図６（ａ）に示す形態の方が垂直状態と約４５度傾けた状態との基板の温度差が少ないことが確認できた。
【００２６】
以上のように本実施形態によれば、放熱フィン部１０に仰角の変更の方向に沿った複数の溝１０ｄ・・・を形成したので、放熱を効果的に行え、基板の温度上昇を抑制できる。また、基板２１の中央部分と対向する放熱フィン１０ａ・・・の表面積を大としたので、熱が集中し易い基板２１の中央部分の放熱を効果的に行うことができる。さらに、各隣接する放熱フィン１０ａ・・・の高さ寸法ｈの差分が外面へ表出しているので、放熱効果を促進することができる。加えて、放熱フィン１０ａ・・・の側面１０ｂの形状が曲線となっているので、仰角が変化しても対流、放熱作用の変化の度合いが少なく、ＬＥＤ２０・・・の温度特性への影響を軽減できる。
【００２７】
次に、本発明の第２の実施形態に係る照明装置について図７を参照して説明する。図７は、照明装置の斜視図である。なお、第１の実施形態と同一又は相当部分には同一符号を付し、重複した説明は省略する。本実施形態では、第１の実施形態とは本体ケース４の支持構造が異なる。第１の実施形態では吊下げ桿３により本体ケース４を天井面等から吊り下げて使用する形式のものについて説明したが、本実施形態では、天井面等の開口部Ｈに本体ケース４を臨ませ、本体ケース４の両端を支持桿３-2により回動可能に支持したものである。したがって、仰角の調整が可能であり、目的とする場所に照射光を向けることができる。また、放熱フィン部１０に仰角の変更の方向に沿った複数の溝１０ｄ・・・を形成してあるので、放熱を効果的に行うことが可能となる。なお、本体ケース４の設置は、天井面に限らず、他の壁面や取付けボード等であってもよい。
以上のように本実施形態によれば、第１の実施形態と同様な効果を奏することができる。
【００２８】
次に、本発明の第３の実施形態に係る照明装置について図８を参照して説明する。図８は、照明装置の概略構成図を示し、（ａ）は背面図、（ｂ）は側面図、（ｃ）は底面図である。なお、第１の実施形態と同一又は相当部分には同一符号を付し、重複した説明は省略する。本実施形態では、複数の放熱フィン１０ａ・・・の側面１０ｂの形状をかまぼこ状の曲線とし、高さ寸法ｈは、同一としたものである。本実施形態では、直線状の放熱フィン１０ａ・・・と直交する中央部分Ｓの放熱フィン１０ａ・・・の表面積が大きくなる。
【００２９】
本実施形態によれば、放熱フィン部１０に仰角の変更の方向に沿った複数の溝１０ｄ・・・を形成したので、基板の温度上昇を抑制でき、第１の実施形態と同様な効果を奏することができる。
【００３０】
次に、本発明の第４の実施形態に係る照明装置について図９を参照して説明する。図９は、照明装置の概略構成図を示し、（ａ）は背面図、（ｂ）は側面図、（ｃ）は底面図である。なお、第１の実施形態と同一又は相当部分には同一符号を付し、重複した説明は省略する。本実施形態では、複数の放熱フィン１０ａ・・・の側面１０ｂの形状を横長の長方形状とし、高さ寸法ｈを背面部８の外周から中央部に向かうに従い漸次高くなるように形成したものである。本実施形態では、直線状の放熱フィン１０ａ・・・と平行な中央部分Ｓの放熱フィン１０ａ・・・の表面積が大きくなる。
【００３１】
本実施形態によれば、放熱フィン部１０に仰角の変更の方向に沿った複数の溝１０ｄ・・・を形成したので、基板の温度上昇を抑制でき、第１の実施形態と同様な効果を奏することができる。なお、第３の実施形態及び第４の実施形態において、放熱フィン部１０の形状を四角形状としたものについて説明したが、円形であってもよく、特段その形状には限定されない。
【００３２】
次に、本発明の第５の実施形態に係る照明装置について図１０乃至図１２を参照して説明する。図１０は、照明装置を示す側面図、図１１は、図１０に示す状態から本体ケースを仰角方向に所定角度回動させた状態を示す側面図、図１２は、同上面図である。なお、第１の実施形態と同一又は相当部分には同一符号を付し、重複した説明は省略する。
【００３３】
照明装置としてのスポットライト１は、本体２と吊下げ手段である金属等の熱伝導性を有する材料で形成された吊下げ棹３とを備えている。本体ケース４の背面部８は、例えば、アルミニウム等の熱伝導良好な材料で形成されており、円形状をなした放熱フィン部１０が形成されている。放熱フィン部１０には、その中央部から放射状に各々約３０°の等間隔を空けて１２個の直線状の放熱フィン１０ａ・・・が形成されており、この放熱フィン１０ａ・・・の高さ寸法は、背面部８の外周から中央部に向かうに従い漸次高くなるように形成されている。したがって、放熱フィン部１０の中央部の放熱フィン１０ａ・・・の表面積が大きくなるように形成されている。このような構成により、各放熱フィン１０ａ・・・間には、背面部８の外周から中央部に向かう対流通路として略扇形状の複数の放射状の溝１０ｄ・・・が形成される（主として図１２参照）。なお、放熱フィン１０ａ・・・の個数は、格別限定されるものではなく、設計に応じ適宜選択すればよい。
【００３４】
また、本体ケース４の背面部８には、パイプ状の吊下げ棹３の一端が接続されている。この接続部１１は、照射角度可変機構１５によって構成されており、具体的には、いわゆるボールジョイントによって構成されている。照射角度可変機構１５は、背面部８の中央部から突出した支持アーム１５ａ、この支持アーム１５ａの先端に形成された球状をなすボール部１５ｂ及び吊下げ棹３の先端部に設けられたボール軸受部１５ｃを備えている。これら支持アーム１５ａ、ボール部１５ｂ及びボール軸受部１５ｃは、金属等の熱伝導性を有する材料で形成されている。
【００３５】
この照射角度可変機構１５によって、本体ケース４は、照射角度可変機構１５を支点として略全方向に回動可能に角度が変更できるようになっている。つまり、照射角度可変機構１５を支点として仰角方向（図示矢印Ａ）や仰角方向と直交する方向（図示矢印Ｂ）を含み、略全方向に回動可能であり、また、照射角度可変機構１５を支点として回転（図示矢印Ｃ）も可能となっている。これらは、フリクションや別個に設けた固定手段により任意の方向、位置に設定できるようになっており、スポットライト１の照射角度を自在に任意に変えることができる。
【００３６】
次に、このように構成されたスポットライト１の作用について説明する。照射角度可変機構１５によって本体ケース４の照射角度を調整し、所望の照射方向に発光面を向ける。点灯回路に電源を供給し、ＬＥＤ２０・・・に通電すると、ＬＥＤ２０・・・から出射した光は拡散カバー６を通過して前方に照射される。これに伴いＬＥＤ２０・・・から発生する熱は、主として、ＬＥＤ２０・・・が配設された基板２１中央部の裏面の略全面から背面部８へ伝わり、複数の放熱フィン１０ａ・・・へ伝導され放熱される。ここで、複数の放熱フィン１０ａ・・・間の対流通路としての溝１０ｄ・・・は、照射角度の変更の方向に沿って、すなわち、放熱フィン部１０の中心から放射状に形成されているので、自然対流による対流が放熱フィン１０ａ・・・の側面１０ｂに作用して、放熱が効率よく行われる。なお、この作用は、例え、照射角度が変わっても（例えば、図１０から図１１の状態）、溝１０ｄ・・・が照射角度の変更の方向に沿っているので対流が確保でき確実に行われることとなる。また、基板２１の中央部分に熱が集中し易いが、この基板２１の中央部分と対向する放熱フィン部１０の中央部の放熱フィン１０ａ・・・の表面積が大となっているので、中央部分の放熱を効果的に行うことができる。
【００３７】
さらに、ＬＥＤ２０・・・は、温度によって光出力や発光色等が変化してしまう温度特性を有するため、ＬＥＤ２０・・・の温度変化を少なくする必要がある。したがって、本体ケース４の照射角度を変えた場合にも光出力や発光色等が変化しないように対流、放熱の変化度合いを少なくし、ＬＥＤ２０・・・の温度を一定化する必要がある。
【００３８】
本実施形態においては、溝１０ｄ・・・が照射角度の変更の方向に沿っているので、照射角度が変わっても対流作用が確実に確保できるため、放熱の変化度合いを少なくでき、背面部８、基板２１、延いてはＬＥＤ２０・・・の温度変化を軽減し、温度特性への影響を抑制することができる。なお、これは、放熱フィン１０ａ・・・の上面１０ｃの対流、放熱も作用していると考えられる。
【００３９】
以上のように本実施形態によれば、スポットライト１の照射角度を自在に任意に変えることができ、目的とする方向へ光を照射することができる。また、複数の放熱フィン１０ａ間の対流通路としての溝１０ｄ・・・は、照射角度の変更の方向に沿って形成されているので、照射角度が変わっても放熱を効果的に行え、さらに、ＬＥＤ２０・・・の温度変化を軽減し、温度特性への影響を抑制することができる。
【００４０】
次に、本発明の第６の実施形態に係る照明装置について図１３乃至図１７を参照して説明する。図１３は、照明装置を示す側面図、図１４は、図１３に示す状態から本体ケースを仰角方向に所定角度回動させた状態を示す側面図、図１５は、同上面図、図１６は、図１５のＹ−Ｙ線に沿った方向から放熱フィンの形状を模式的に表した側面図、図１７は、照明装置の他の実施例を示す側面図である。なお、第５の実施形態と同一又は相当部分には同一符号を付し、重複した説明は省略する。
【００４１】
本実施形態は、前記第５の実施形態とは、本体ケース４の背面部８における放熱フィン部１０の構成が異なる。図１４乃至図１６に示すように、放熱フィン部１０には、中央部から周縁部に亘って円筒形であってピン状の多数の放熱フィン１０ａ・・・が突出して散在するように形成されている。これら放熱フィン１０ａ・・・は、相互に間隔を空けて形成されており、したがって、各放熱フィン１０ａ・・・相互間には、背面部８の外周から中央部に向かう対流通路として多数の蛇行状の溝１０ｄ・・・（図１５に例示する）が形成されることとなる。
【００４２】
このような構成によれば、複数の放熱フィン１０ａ・・・間の対流通路としての蛇行状の溝１０ｄ・・・は、少なくとも照射角度の変更の方向に沿って形成されることとなり、対流が放熱フィン１０ａ・・・の外周面に作用して、放熱が効率よく行われる。なお、この作用は、例え、照射角度が変わっても（例えば、図１３から図１４の状態）、溝１０ｄ・・・が照射角度の変更の方向に沿って形成されるので対流が確保でき確実に行われ、放熱の変化度合いを少なくでき、ＬＥＤ２０・・・の温度変化を軽減し、温度特性への影響を抑制することができる。
以上のように本実施形態によれば、第５の実施形態と同様な効果を奏することができる。
【００４３】
なお、図１７に示すように、放熱フィン１０ａ・・・の高さ寸法を背面部８の外周から中央部に向かうに従い漸次高くなるように形成し、放熱フィン部１０の中央部の放熱フィン１０ａ・・・の表面積が大きくなるように形成してもよい。これにより、熱が集中し易い基板２１の中央部分の放熱を効果的に行うことができる。
【００４４】
続いて、本発明の第７の実施形態に係る照明装置について図１８を参照して説明する。図１８は、照明装置の背面側を示す斜視図である。なお、第１の実施形態と同一又は相当部分には同一符号を付し、重複した説明は省略する。
【００４５】
本実施形態のスポットライト１においては、照射角度の変更として仰角の変更が可能なタイプを示している。したがって、照射角度可変機構１５は、連結軸を中心に回動できるように構成されている。また、本体ケース４の背面部８に形成された放熱フィン部１０には、外周の一端から他端に亘って複数の直線状の放熱フィン１０ａ・・・が等間隔を空けて形成されており、この放熱フィン１０ａ・・・は側面１０ｂの形状を略長方形としている。したがって、各放熱フィン１０ａ・・・間には対流通路として複数の直線状の溝１０ｄ・・・が形成されており、さらに、複数の溝１０ｄ・・・の方向は、前記仰角の回動方向、すなわち、仰角の変更の方向に略沿った方向となっている。
【００４６】
以上のように本実施形態によれば、複数の放熱フィン１０ａ間の対流通路としての溝１０ｄ・・・は、仰角の変更の方向に沿って形成されているので、照射角度が変わっても放熱を効果的に行え、ＬＥＤの温度変化を軽減し、温度特性への影響を抑制することができる。
【００４７】
次に、図１８乃至図２１を参照して、照射角度の変更に伴う放熱フィン部１０の温度変化を測定した結果について説明する。図１８に示す第７の実施形態に係る照明装置Ａと図２０に示す照明装置Ｂ（実質的には第１の実施形態に係る照明装置と同一）を測定の対象とした。照射角度の変更は、それぞれ図１９（ａ）及び（ｂ）、図２１（ａ）及び（ｂ）に示すように水平位置及び仰角４５°とした場合である。
【００４８】
そして、ＬＥＤを点灯して温度変化を測定した結果、照明装置Ａでは、水平位置に対し仰角４５°では、９℃下降し、すなわち、温度差９℃であり、照明装置Ｂでは、水平位置に対し仰角４５°では、５℃下降し、すなわち、温度差５℃であり、照明装置Ｂの方が温度差が少なく、約半分になることが判明した。したがって、照明装置Ａより照明装置Ｂの方が照射角度を変えた場合にも、一層光出力や発光色等の変化が少なく、ＬＥＤの温度特性への影響を抑制することが確認できた。これは、構造的には、照明装置Ｂでは、中央部の放熱フィン１０ａ・・・表面積が大となっているからであり、現象的には、中央部の放熱フィン１０ａ・・・の対流作用が大きく、また、照射角度の変更に伴うこの対流作用の変化の度合いが少ないからであると推定される。よって、照射角度の変更に伴うＬＥＤの温度変化を軽減するには、放熱フィン部１０の中央部の対流効果を大きくするのが効果的であるとの知見を得た。
【００４９】
次に、図２２乃至図２５を参照して、照射角度可変機構１５の放熱構造及び作用について説明する。図２２は、実施例１を示す側面図、図２３は、実施例２を示す正面側構成図、図２４は、同側面図、図２５は、実施例３を示す側面図である。なお、上記各実施形態と同一又は相当部分には同一符号を付し、重複した説明は省略する。
【００５０】
（実施例１）図２２は、前記第５の実施形態に係る照明装置の照射角度可変機構１５を示している。照射角度可変機構１５は、本体ケース４側は支持アーム１５ａとボール部１５ｂとから構成されており、吊下げ棹３側はボール軸受部１５ｃによって構成されている。これら支持アーム１５ａ、ボール部１５ｂ及びボール軸受部１５ｃは、熱伝導が行なわれるように金属等の熱伝導性を有する材料で形成されている。ボール軸受部１５ｃは、ボール部１５ｂを包み込むように、かつ自在に回動可能なように接触して接続されている。
【００５１】
そして、例えば、本体ケース４を図示実線で示す水平状態から破線で示す４５°傾けた状態へと照射角度を変更しても本体ケース４側のボール部１５ｂと吊下げ棹３側のボール軸受部１５ｃとの接触面積は、ほとんど変化しないようになっている。
【００５２】
したがって、ＬＥＤ２０から発生する熱は、主として放熱フィン部１０で放熱され、さらに、支持アーム１５、ボール部１５ｂ、ボール軸受部１５ｃ、吊下げ棹３へと伝導され放熱される。ここにおいて、照射角度を変更してもボール部１５ｂとボール軸受部１５ｃとの接触面積は、ほとんど変化しないようになっているため、照射角度の変更に伴う放熱状態の変化が少なく、ＬＥＤの温度変化を軽減し、温度特性への影響の抑制に寄与することが可能となる。
【００５３】
（実施例２）図２３及び図２４に示すように、照射角度可変機構１５は、本体ケース４側の放熱フィン部１０から突出する回動支軸１５ｄと、吊下げ棹３側に形成された軸受部１５ｅ及び連結軸１５ｆとから構成されている。軸受部１５ｅは、中央部に回動支軸１５ｄが嵌合する凹部が形成されており、この凹部の両側には先端部が弧状に形成された軸受アーム１５ｇが設けられている。そして、連結軸１５ｆが軸受アーム１５ｇ及び回動支軸１５ｄを貫通して本体ケース４は仰角方向に回動可能となっている。
【００５４】
そして、例えば、本体ケース４を図２４（ａ）に示す水平状態から図２４（ｂ）に示す４５°傾けた状態へと照射角度を変更しても本体ケース４側の回動支軸１５ｄと吊下げ棹３側の軸受アーム１５ｇの内側との接触面積は、その変化が少なくなるように構成されている。つまり、軸受アーム１５ｇの先端部は回動支軸１５ｄの回動軌跡に略沿って弧状に形成されており、このため、回動支軸１５ｄと軸受アーム１５ｇの内側との接触面積は変化が少なくなる。
【００５５】
したがって、ＬＥＤ２０から発生する熱は、主として放熱フィン部１０で放熱され、さらに、回動支軸１５ｄ、連結軸１５ｆ及び軸受アーム１５ｇ、吊下げ棹３へと伝導され放熱される。そして、照射角度を変更しても回動支軸１５ｄと軸受アーム１５ｇとの接触面積は、変化が少ないので、照射角度の変更に伴う放熱状態の変化が少なく、ＬＥＤ２０の温度変化を軽減し、温度特性への影響の抑制に寄与することが可能となる。
【００５６】
（実施例３）図２５に示すように、吊下げ手段としての吊下げ棹３に凹溝を形成し、複数の放熱フィン３ｂを構成して表面積を大きくし、放熱効果を高めるものである。したがって、ＬＥＤ２０から発生して伝導される熱を吊下げ棹３によって効果的に放熱することができる。なお、放熱フィン３ｂの形状は、格別限定されるものではない。また、吊下げ棹３をライティングレールに取付けるようにし、吊下げ棹３からライティングレールに熱を伝導できるようにして放熱するようにしてもよい。
【００５７】
本発明は、上記各実施形態の構成に限定されることなく、発明の要旨を逸脱しない範囲で種々の変形が可能である。例えば、放熱フィン、仰角の変更の方向に沿った溝は、途切れのない連通したものである必要はなく、対流を導く形態のものであれば分断されていてもよい。さらに、放熱フィンは、放熱フィン部の外周面の表面積を大きくするものであり、ひれ、平板、山形など形状に限定されず、突出して形成されていればよく、その形状は限定されない。
【符号の説明】
【００５８】
１・・・照明装置（スポットライト）、３・・・吊下げ手段（吊下げ棹）、
４・・・本体ケース、８・・・背面部、１０・・・放熱フィン部、
１０ａ・・・放熱フィン、１０ｄ・・・対流通路（溝）、
１５・・・照射角度可変機構、２０・・・発光素子（ＬＥＤ）、２１・・・基板
【図１】
2010010124.tif 000003
【図２】
2010010124.tif 000004
【図３】
2010010124.tif 000005
【図４】
2010010124.tif 000006
【図５】
2010010124.tif 000007
【図６】
2010010124.tif 000008
【図７】
2010010124.tif 000009
【図８】
2010010124.tif 000010
【図９】
2010010124.tif 000011
【図１０】
2010010124.tif 000012
【図１１】
2010010124.tif 000013
【図１２】
2010010124.tif 000014
【図１３】
2010010124.tif 000015
【図１４】
2010010124.tif 000016
【図１５】
2010010124.tif 000017
【図１６】
2010010124.tif 000018
【図１７】
2010010124.tif 000019
【図１８】
2010010124.tif 000020
【図１９】
2010010124.tif 000021
【図２０】
2010010124.tif 000022
【図２１】
2010010124.tif 000023
【図２２】
2010010124.tif 000024
【図２３】
2010010124.tif 000025
【図２４】
2010010124.tif 000026
【図２５】
2010010124.tif 000027